(57)【要約】【課題】下側のフランジに切欠きを設けることなく、リーダブロックを介して、磁気テープの末端に接続されたリーダピンを巻取リールのスロットにまで案内することができ、これによりフランジ構造の簡素化及び制作費用の削減を図る。【解決手段】磁気テープカートリッジＣと巻取リールＲとの間にて、磁気テープ１に接続されたリーダピン２をリーダブロック３により把持して水平方向に移動させる磁気テープ装置のスレディング機構１００であって、リーダブロック３を移動させる移動機構４を有し、該移動機構４はリーダピン２が巻取リールＲの径方向に沿う内部空間を移動するに際して、該リーダピン２が把持されるリーダブロック３を、巻取リールＲの下側のフランジ７から離れるように上下方向に相対移動させる案内機構９を具備する。【選択図】図１
2020149739.tif 000002
【特許請求の範囲】
【請求項１】
磁気テープカートリッジと巻取リールとの間にて、磁気テープに接続されたリーダピンをリーダブロックにより把持して水平方向に移動させる磁気テープ装置のスレディング機構であって、
前記リーダブロックを移動させる移動機構を有し、
前記移動機構は、前記リーダピンが前記巻取リールの径方向に沿う内部空間を移動するに際して、前記リーダブロックを、前記巻取リールの下側のフランジから離れるように上下方向に相対移動させる案内機構を具備することを特徴とする磁気テープ装置のスレディング機構。
【請求項２】
前記巻取リールの下側のフランジのテープ受面は、切欠部を有さない平面形状に形成されることを特徴とする請求項１に記載の磁気テープ装置のスレディング機構。
【請求項３】
前記案内機構として、前記移動機構の本体部に形成されて前記リーダブロックを所定方向に案内するガイドレールが設けられることを特徴とする請求項１又は２のいずれか１項に記載の磁気テープ装置のスレディング機構。
【請求項４】
前記案内機構のガイドレールは、前記リーダブロックを巻取リールの下側のフランジから離れるように上下方向に相対移動させるスロープを有する迂回ルートを形成することを特徴とする請求項３に記載の磁気テープ装置のスレディング機構。
【請求項５】
磁気テープカートリッジと巻取リールとの間にて、磁気テープに接続されたリーダピンをリーダブロックにより把持して水平方向に移動させる磁気テープ装置において、
前記リーダピンが前記巻取リールの径方向に沿う内部空間を移動するに際して、前記リーダブロックを、前記巻取リールの下側のフランジから離れるように上下方向に相対移動させることを特徴とする磁気テープ装置のスレディング方法。
【発明の詳細な説明】
【技術分野】
【０００１】
本発明は、磁気テープカートリッジ内の磁気テープを引き出して巻取リールに案内するための磁気テープ装置のスレディング機構及びスレディング方法に関する。
【背景技術】
【０００２】
コンピュータ等の外部記憶装置として、磁気テープカートリッジが装填される磁気テープ装置が用いられている。
例えば、本願に関連する特許文献１に示される磁気記録再生装置のテープローディング装置では、カートリッジ内に収容される磁気テープの末端にリーダピンが連結されており、このリーダピンを先導ブロックで引き出すとともに、巻取リールのスロットにまで案内することで、該巻取リールに磁気テープを巻き取らせる。
そして、リーダピンを介して磁気テープカートリッジから引き出された磁気テープは、その移動経路の途中に位置する磁気ヘッドにて記憶情報が読み取られる。
【０００３】
ところで、一般的なリーダピンは磁気テープの幅よりも大きい寸法のため、該リーダピンを巻取リールの内部に引き込むに際して、巻取リールの上下フランジに該リーダピンが当たらないように切欠きを設ける必要がある。
例えば、本願に関連する特許文献２に示される磁気テープの巻取リールには、下部フランジの一部に切欠きを設けて、先導ブロックにより案内されたリーダピンとの接触を避ける構造が示されている。
【先行技術文献】
【特許文献】
【０００４】
【特許文献１】特開平６−１０３６６３号公報
【特許文献２】特開２００６-１５５６８５号公報
【特許文献３】特開２００４-２２４５７０号公報
【発明の概要】
【発明が解決しようとする課題】
【０００５】
しかしながら、特許文献２に示される巻取リールでは、下部フランジの一部に切欠きを設けてリーダピンとの接触を避ける構成であるので、切欠き端部の剛性が低くなって捩じれや撓みが発生しやすいという問題がある。
そして、このような巻取リールにおいては、捩じれや撓み発生を防止するために、例えば、本願に関連する特許文献３に示されるように、上下フランジ間隔を広くして磁気テープの巻き取りをガイドする部分にのみ突起をつけることで、リーダピンとの接触を避けることができる。
しかしながら、このような突起を有する巻取リールでは、回転バランスを良くするために、質量中心軸を回転中心軸に揃えた上で、フランジの厚みを場所によって厚くしたり薄くしたりする必要があり、フランジ加工にコストが掛かるという不具合が生じる。
【０００６】
この発明は、上述した事情に鑑みてなされたものであって、下側のフランジに切欠きを設けることなく、リーダブロックを介して、磁気テープの末端に接続されたリーダピンを巻取リールのスロットにまで案内することができ、これによりフランジ構造の簡素化及び制作費用の削減が可能な磁気テープ装置のスレディング機構及びスレディング方法を提供する。
【課題を解決するための手段】
【０００７】
上記課題を解決するために、この発明は以下の手段を提案している。
本発明の第１態様に示される磁気テープ装置のスレディング機構は、磁気テープカートリッジと巻取リールとの間にて、磁気テープに接続されたリーダピンをリーダブロックにより把持して水平方向に移動させる磁気テープ装置において、前記リーダブロックを移動させる移動機構を有し、前記移動機構は、前記リーダピンが前記巻取リールの径方向に沿う内部空間を移動するに際して、前記リーダブロックを、前記巻取リールの下側のフランジから離れるように上下方向に相対移動させる案内機構を具備することを特徴とする。
【０００８】
本発明の第２態様に示される磁気テープ装置のスレディング方法は、磁気テープカートリッジと巻取リールとの間にて、磁気テープに接続されたリーダピンをリーダブロックにより把持して水平方向に移動させる磁気テープ装置において、前記リーダピンが前記巻取リールの径方向に沿う内部空間を移動するに際して、前記リーダブロックを、前記巻取リールの下側のフランジから離れるように上下方向に相対移動させることを特徴とする。
【発明の効果】
【０００９】
本発明によれば、スレディング装置のフランジ構造の簡素化及び制作費用の削減が可能となる。
【図面の簡単な説明】
【００１０】
【図１】本発明に係る磁気テープ装置のスレディング機構を示す概略構成図である。
【図２】本発明の実施形態に係る磁気テープ装置のスレディング機構を前方側から視た斜視図である。
【図３】図２を後方側から視た斜視図である。
【図４】磁気テープ、リーダピン及び巻取リールの大きさを示す正面図である。
【図５】リーダブロックを付勢するばねの位置を示す部分断面図である。
【図６】リーダブロックを案内するガイドレールを示す図である。
【図７】ガイドレールのスロープを示す分解図である。
【図８】図７からリーダブロックがガイドレールのスロープを移動した状態を示す分解図である。
【図９】ガイド突起の位置を示す内部構成図である。
【図１０】リーダブロックの移動を段階的に示すイメージ図である。
【図１１】本発明に適用される平面状のテープ受面を下側のフランジに有する巻取リールの斜視図である。
【図１２】下側のフランジのテープ受面に切欠きを有する巻取リールの斜視図である。
【図１３】下側のフランジのテープ受面に溝を有する巻取リールの斜視図である。
【発明を実施するための形態】
【００１１】
本発明に係る磁気テープ装置のスレディング機構１００について図１を参照して説明する。
このスレディング機構１００は、磁気テープカートリッジＣと巻取リールＲとの間にて、磁気テープ１に接続されたリーダピン２をリーダブロック３により把持して水平方向に移動させる移動機構４を有する。
磁気テープカートリッジＣは磁気テープ１が内部巻取リール（図示略）に巻回された状態で収容されるカセットであって、該磁気テープ１の末端にはリーダピン２が連結される。
巻取リールＲは、回転中心となるハブ５に互いに平行となるように間隔をおいて上側のフランジ６及び下側のフランジ７が配置されたものであって、これら上側のフランジ６及び下側のフランジ７の間に位置する内部空間８に、巻き取った磁気テープ１が収容される。
【００１２】
移動機構４は、磁気テープ１に接続されたリーダピン２を把持して（矢印ａ１参照）、巻取リールＲのハブ５に案内するリーダブロック３を有している。
また、この移動機構４は、リーダブロック３により、磁気テープ１が接続されるリーダピン２を巻取リールＲの径方向に沿う内部空間８に引き込むとともに、その内部空間８を移動するに際して、該リーダブロック３を、巻取リールＲの下側のフランジ７から離れるように上下方向に相対移動させる案内機構９を具備する（矢印ａ２〜ａ５参照）。
なお、このスレディング機構１００において、リーダブロック３により、磁気テープカートリッジＣから引き出された磁気テープ１は、巻取リールＲへの移動途中に設けられた磁気ヘッド（図示略）により情報の読取り、書込みが行われる。
【００１３】
そして、以上のように構成された磁気テープ装置のスレディング機構１００によれば、移動機構４に設けられた案内機構９により、リーダピン２が巻取リールＲの径方向に沿う内部空間８を横断するに際して、該リーダピン２が把持されるリーダブロック３を、巻取リールＲの下側のフランジ７から離れるように上下方向に相対移動させることができる。
これにより上記スレディング機構１００では、リーダブロック３及びリーダピン２が巻取リールＲの下側のフランジ７に干渉しないようにすることができ、その結果、巻取リールＲの下側のフランジ７のテープ受面７Ａに切欠きを設ける必要がなくなり、フランジ構造の簡素化及び制作費用の削減が可能となる。
【００１４】
次に、本発明の実施形態に係る磁気テープ装置のスレディング機構１０１について図２〜図１１を参照して説明する。
磁気テープ装置のスレディング機構１０１は、図２及び図３に示されるように、装置本体１０に装填された磁気テープカートリッジＣ１と巻取リールＲ１との間にて、磁気テープ１１の末端に連結されたリーダピン１２を、リーダブロック１３により把持して水平方向（矢印Ａ１方向）に移動させる移動機構１４（後述する）を有する。
【００１５】
磁気テープカートリッジＣ１は内部巻取リール（図示略）に磁気テープ１１が巻回された状態で収容されるカセットであって、装置本体１０に対して脱着自在に設けられている。
磁気テープカートリッジＣ１に収容される磁気テープ１１の末端にはリーダピン１２が連結されており、該リーダピン１２をリーダブロック１３により引き出すことにより、該磁気テープ１１が巻取リールＲ１に案内される。
【００１６】
また、磁気テープカートリッジＣ１と巻取リールＲ１との間に位置する磁気テープ１１の移動経路には、図３に示されるように、情報の読み取り、書込みをする磁気ヘッド２０及び磁気テープ１１を案内するテープガイド２１が設けられている。
【００１７】
また、巻取リールＲ１は、図４に示されるように、回転中心となるハブ１５に互いに平行となるように上下に一定の間隔をおいて上側のフランジ１６及び下側のフランジ１７が配置される構成である。
これら上側のフランジ１６及び下側のフランジ１７の間に位置する内部空間１８には、先のリーダピン１２により案内された磁気テープ１１が巻回される。
なお、リーダピン１２の長さＭ１は、図４に示されるように磁気テープ１１の幅Ｍ２及びフランジ１６，１７の間隔Ｍ３よりも大きく設定される。このため、リーダピン１２が、巻取リールＲ１のフランジ１６，１７にリーダピン１２が当たらないように移動を制御する必要があるが、これについては後述する。
【００１８】
移動機構１４は、図２及び図３に示されるように磁気テープ１１に接続されたリーダピン１２を把持して、巻取リールＲ１のハブ１５に案内するリーダブロック１３を有している。
また、この移動機構１４の本体部１４Ａには、駆動モータ（図示略）により駆動される駆動軸３１Ａを有するスレディングアーム３１が設けられている。
このスレディングアーム３１は、複数のリンク部材３１Ｂ，３１Ｃが連結軸３１Ｄにより回転自在に設けられるものであって（図３参照）、基端側のリンク部材３１Ｂが駆動軸３１Ａに接続され、かつ先端側のリンク部材３１Ｃに、スレディングピン３０を介して先のリーダブロック１３が支持される。
【００１９】
このリーダブロック１３は、図５に示すようにスレディングピン３０の軸方向（すなわち、上下方向Ｂ１）に沿って揺動自在に設けられるとともに、ばね１３Ａにより上方に付勢されている。
【００２０】
また、移動機構１４の本体部１４Ａには、図６〜図８に示されるように案内機構を構成するガイドレール３３とガイド突起３４が設けられている。
ガイドレール３３は、リーダブロック１３を案内するための経路となるものであって、ばね１３Ａにより付勢されたリーダブロック１３の上部と接触しかつ摺動することで、該リーダブロック１３を所定方向に案内する。
【００２１】
そして、ガイドレール３３では、磁気テープ１１が接続されるリーダピン１２を巻取リールＲ１の径方向（すなわち、矢印Ａ１に沿う水平方向）に沿う内部空間１８に引き込むとともに、その内部空間１８を移動するに際して、該リーダブロック１３を、巻取リールＲ１の下側のフランジ１７から離れるように上下方向（矢印Ｂ１方向）に相対移動させるフランジスロープ３３Ａを有する（図７、図８及び図１０参照）。
すなわち、ガイドレール３３は、リーダブロック１３を巻取リールＲ１の下側のフランジ１７から離れるように上下方向に相対移動させる迂回ルートとなる。
【００２２】
ガイド突起３４は、図９に示されるようにガイドレール３３に設けられたフランジ状の突起であって、該ガイドレール３３に沿って巻取リールＲのハブ１５に案内したリーダブロック１３をリーダピン１２とともに下方に押し下げ、該ハブ１５に形成されたスロット４０に挿入させる。
これにより、磁気テープカートリッジＣ１から引き出された磁気テープ１１が、巻取リールＲ１のハブ１５に接続され、該巻取リールＲ１により巻き取り可能な状態となる。
【００２３】
また、移動機構１４のスレディングアーム３１では、駆動モータを逆転させることで、ガイドレール３３を通じて、リーダピン１２及び該リーダピン１２に連結される磁気テープ１１を、磁気テープカートリッジＣ１に戻すことができる。
【００２４】
上記のように構成されたスレディング機構１０１の動作について説明する。
移動機構１４の駆動モータを駆動することにより、まず、スレディングピン３０に取り付けられたリーダブロック１３が磁気テープカートリッジＣ１内にあるリーダピン１２に接触して、該リーダピン１２を把持する。
なお、このようなリーダブロック１３がリーダピン１２を取りに行く動作中では、ガイドレール３３のフランジによって、該リーダブロック１３の上昇動作が抑制されている。
【００２５】
その後、リーダピン１２を把持したリーダブロック１３は、巻取リールＲ１側へ移動し、巻取リールＲ１の手前まで来たところで、ガイドレール３３のフランジスロープ３３Ａに沿って上昇し、巻取リールＲ１の下側のフランジ１７の上を移動する（図１０参照）。
【００２６】
その後、巻取リールＲ１の下側のフランジ１７の上を移動したリーダブロック１３は、巻取リールＲ１のハブ１５に位置するガイド突起３４（図９）により下降して、リーダピン１２とともに巻取リールＲ１のスロット４０内に収まる。
なお、図１９には、リーダブロック１３がガイドレール３３のフランジスロープ３３Ａに沿って動き、巻取リールＲ１の下側のフランジ１７の上を通過して、巻取リールＲ１に収まるまでの動作の軌跡が矢印Ａ２〜Ａ５で示されている。
【００２７】
また、リーダピン１２を巻取リールＲ１内から磁気テープカートリッジＣ１に戻す際には、同様に、巻取リールＲ１のガイド突起３４に沿ってリーダブロック１３が上昇して巻取リールＲ１の下側のフランジ１７の上を移動する。
このとき、リーダブロック１３が巻取リールＲ１の下側のフランジ１７上を通り過ぎた後には、ガイドレール３３のフランジスロープ３３Ａに沿って下降し、その高さ位置のまま磁気テープカートリッジＣ１内にリーダピン１２を戻す動作が行われる。
【００２８】
そして、以上のように構成されたスレディング機構１０１によれば、移動機構１４内の案内機構を構成するガイドレール３３により、リーダピン１２が巻取リールＲ１の径方向に沿う内部空間１８を横断するに際して、該リーダピン１２が把持されるリーダブロック１３を、巻取リールＲ１の下側のフランジ１７から離れるように上下方向に相対移動させることができる。
これにより本実施形態のスレディング機構１０１では、リーダブロック１３及びリーダピン１２が巻取リールＲ１の下側のフランジ１７に干渉しないようにすることができる。
その結果、スレディング機構１０１では、図１１に示されるように、巻取リールＲ１の下側のフランジ１７のテープ受面１７Ａを平面状に形成することができ、フランジ構造の簡素化及び制作費用の削減が可能となる。
【００２９】
より具体的には、本実施形態のスレディング機構１０１では、図１２に示すように、巻取リールＲ１の下側のフランジ１７のテープ受面１７Ａに切欠き５０を設ける加工が必要ない、又は図１３に示すように下側のフランジ１７を厚くして溝をつけるといった加工が必要なくなる。
その結果、本実施形態では、図１１に示されるように下側のフランジ１７のテープ受面１７Ａを平面状に形成することができ、フランジ構造の簡素化及び制作費用の削減が可能となるものである。
【００３０】
すなわち、本実施形態のスレディング機構１０１では、巻取リールＲ１の下部フランジ１７に切欠きや溝（段差）や突起がない完全な円盤形状であっても、リーダピン１２を巻取リールＲ１の下側のフランジ１７に干渉することなく該巻取リールＲ１内部に引き込むことができるようになる。
また、本実施形態のスレディング機構１０１では、巻取リールＲ１を完全な円盤形状で樹脂成形できるため、高い剛性と、ヒケの少ない成形性の良さを得ることができる。
さらに、本実施形態のスレディング機構１０１では、巻取リールＲ１の下部フランジ１７が完全な円盤形状となるために、巻取リールＲ１を回転させて磁気テープ１１を巻き取る際の巻きムラを最小化することも可能となる。
【００３１】
なお、本実施形態のスレディング機構１０１では、ばね１３Ａによる付勢とガイドレール３３の案内によりリーダブロック１３を上下動させるようにしたが、これに限定されず、モータをリーダブロック１３に内蔵し、該モータの駆動によりリーダブロック１３を上下動させるようにしても良い。
【００３２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３３】
本発明は、磁気テープカートリッジ内の磁気テープを引き出して巻取リールに案内するための磁気テープ装置のスレディング機構及びスレディング方法に関する。
【符号の説明】
【００３４】
１  磁気テープ
２  リーダピン
３  リーダブロック
４  移動機構
５  ハブ
６  （上側の）フランジ
７  （下側の）フランジ
８  内部空間
９  案内機構
１１  磁気テープ
１２  リーダピン
１３  リーダブロック
１３Ａ  ばね
１４  移動機構
１５  ハブ
１６  上側のフランジ
１７  下側のフランジ
１７Ａ  テープ受面
１８  内部空間
２０  磁気ヘッド
２１  テープガイド
３０  スレディングピン
３１  スレディングアーム
３３  ガイドレール
３３Ａ  フランジスロープ
３４  ガイド突起
１００  スレディング機構
１０１  スレディング機構
Ｃ  磁気テープカートリッジ
Ｃ１  磁気テープカートリッジ
Ｒ  巻取リール
Ｒ１  巻取リール
【図１】
2020149739.tif 000003
【図２】
2020149739.tif 000004
【図３】
2020149739.tif 000005
【図４】
2020149739.tif 000006
【図５】
2020149739.tif 000007
【図６】
2020149739.tif 000008
【図７】
2020149739.tif 000009
【図８】
2020149739.tif 000010
【図９】
2020149739.tif 000011
【図１０】
2020149739.tif 000012
【図１１】
2020149739.tif 000013
【図１２】
2020149739.tif 000014
【図１３】
2020149739.tif 000015